(57)【要約】【課題】警戒エリア内に侵入した人間を検知する受動型赤外線センサ等の検知器において、点検作業の手間を省くとともに、セキュリティ性を確保する。【解決手段】家電機器用の赤外線リモコンから発せられる赤外線パルス信号を受信したときに、表示器の表示機能を有効とするよう制御する制御手段を備えた。そして、赤外線パルス信号受光範囲を、検知器の真下方向に限定したり、任意の方向及び任意の視野範囲に調整可能としたりして、点検作業時以外に、不用意に表示機能が有効とならないようにした。【選択図】図１
2004185554.tif 000002
【特許請求の範囲】
【請求項１】
人間の動きを検出して検知信号を出力するとともに、検出状況を表示器により表示する機能を備えた検知器において、３２ＫＨｚから５７ＫＨｚの周波数の赤外線パルス信号を受信したときに出力信号を発する受光部と、前記表示器の作動状態を、前記受光部からの信号入力に基づきコントロールする表示器制御手段とを備え、前記表示器制御手段は、前記受光部からの信号入力を受け付けると、一定時間だけ前記表示器の表示機能を有効とし、前記受光部の赤外線パルス信号受光範囲は、任意の方向及び任意の視野範囲に調整可能となっていることを特徴とする表示器制御機能付き検知器。
【請求項２】
前記受光部の赤外線パルス信号受光範囲は、検知器の真下方向に限定されていることを特徴とする請求項１に記載の表示器制御機能付き検知器。
【請求項３】
前記表示器制御手段は、前記受光部からの信号入力を受け付けると、一定時間だけ前記表示器の表示機能を有効とし、前記時間中に、再び受光部からの信号入力を受け付けると、前記表示器の表示機能を無効とするよう制御することを特徴とする請求項１及び請求項２に記載の表示器制御機能付き検知器。
【請求項４】
前記受光部は、３２ＫＨｚから５７ＫＨｚの周波数の赤外線パルス信号を、複数回連続して受信したときに出力信号を発することを特徴とする請求項１乃至請求項３に記載の表示器制御機能付き検知器。
【請求項５】
前記表示器制御手段は、前記受光部からの信号入力を受け付けると、前記表示器に、表示機能を有効にするための待機状態になったことを表示させるための制御信号を出力し、待機状態中に入力される受光部からの信号の回数に応じて、有効とする表示器を順次点灯させ、最後に点灯した表示器が一定時間だけ有効となるよう制御し、前記時間の終了直前には、前記表示器に、表示機能を無効にするための待機状態になったことを表示させるための制御信号を出力することを特徴とする請求項１乃至請求項４に記載の表示器制御機能付き検知器。
【請求項６】
前記表示器制御手段は、前記受光部からの信号入力を受け付けると、一定時間だけ前記表示器の表示機能を有効とし、その間、検知信号を強制的に出力するよう制御することを特徴とする請求項１乃至請求項５に記載の表示器制御機能付き検知器。
【発明の詳細な説明】
【０００１】
【発明の属する技術分野】
本発明は、室内や屋外を立体的に警戒し、警戒エリア内に侵入した人間を検知する受動型赤外線センサ等の検知器に関するものである。
【０００２】
【従来の技術】
このような検知器は、人間の動きを検出して検知信号を出力する。この検知信号は、信号線等を介して、制御機能を備えたコントローラーなどに送られる。検知器には、検知信号を出力するのに同期して、あるいは、人間の動きを検出する過程に応じて、その状態を表示する機能を備えている。表示手段としては、ＬＥＤの点灯や点滅、電子ブザーの連続音や断続音などが一般的である。
【０００３】
検出状況を表示する機能は、検知器を設置するときや、設置後定期的におこなわれる点検作業において必要な機能である。点検作業は、警戒エリア内を実際に作業者が歩行し、そのときの検知器の表示を見て（あるいは表示音を聞いて）確認するという手順を経ておこなわれる。このため、検知信号を出力するのに同期しておこなわれる表示は、警戒エリアの設定状態確認には、なくてはならない。このような警戒エリアの設定状態確認作業終了後、検知器とコントローラーとの間の、信号伝送の確認をおこない、１台の検知器の点検作業が完了となる。
【０００４】
検出状況を表示する機能は、点検作業時以外には、無効にしておく必要がある。通常の侵入警報システムでは、システムが解除されているときも、検知器への電源供給は継続されており、その気がなくても、検知器の動作表示を見て、その検知器の警戒範囲を知ることができてしまう。このため、検知器内部に、検出状況を表示する機能のオン、オフを設定するスイッチを設け、必要に応じ切り替えている。
【０００５】
【発明が解決しようとする課題】
点検作業を実施するたびに、すべての検知器においてこのスイッチを切り替えるということが大変な労力であるということから、この切替を、手拍子等の音の検出に基づきおこなうという内容が、特開平５−１０８１８号に、市販の赤外線リモコン装置からの赤外線パルス信号の検出に基づきおこなうという内容が、特開平８−１８５５８３号に開示されている。これらの方法によれば、点検作業の手間を省くという目的は達成されるかもしれないが、セキュリティ性保持という観点からは、問題が残る。
【０００６】
【課題を解決するための手段】
本発明では、家電機器用の赤外線リモコンから発せられる赤外線パルス信号を受信したときに、表示器の表示機能を有効とするよう制御する制御手段を備えた。そして、赤外線パルス信号受光範囲を、検知器の真下方向に限定したり、任意の方向及び任意の視野範囲に調整可能としたりして、点検作業時以外に、不用意に表示機能が有効とならないようにし、セキュリティ性が保持されるようにした。
【０００７】
【発明の実施の形態】
図１は、本発明の表示器制御機能付き検知器の構成を示したブロック図である。１は、侵入者の動きを電気信号に変換する検出素子、２は、検出素子からの信号を処理し、侵入者であるかどうかを判定する信号処理部である。３は、信号処理部２からの信号に基づき検知信号を出力する出力部、４は、検出状況を表示する表示器である。５は、家電機器用の赤外線リモコンであり、６は、この家電機器用の赤外線リモコン５から発せられる赤外線パルス信号を受信したときに出力信号を発する受光部である。７は、受光部６からの信号入力に基づき表示器４の作動状態と出力部３の作動状態とをコントロールする表示器制御手段である。
【０００８】
受光部６は、３２ＫＨｚから５７ＫＨｚの周波数の信号に同調する機能を備えており、光リモコン受光モジュールを主体として構成されている。この範囲の周波数の赤外線パルス信号が入力されると、所定の処理及び判定をおこない、表示器制御手段７へ信号を出力する。家電機器用の赤外線リモコンの送信機５からは、３２ＫＨｚから５７ＫＨｚの周波数のキャリア信号に所定のコード信号を乗せた赤外線パルス光が発射される。θは、光リモコン受光モジュールの受光視野範囲を示しており、この受光視野範囲を狭くしたり、受光視野全体を任意の方向に変更したりする機能を備えている。
【０００９】
本発明の表示器制御機能付き検知器は、以上の構成を備えており、この検知器の点検作業は次に示す手順に沿って行われる。
電源を供給し、検知器全体を作動状態にする。家電機器用の赤外線リモコン５の任意の操作ボタンを押し、このリモコンから赤外線パルス信号を発射する。このとき、赤外線パルス信号が、受光部６の光リモコン受光モジュールの受光視野範囲θ内に入るようにする。受光部６は、入射した赤外線パルス信号が、３２ＫＨｚから５７ＫＨｚの周波数の信号で、所定の強さであるとき、あるいは所定の回数であるときに、表示器制御手段７へ信号を出力する。
【００１０】
表示器制御手段７は、受光部６から信号が入力されると、一定時間、例えば３分間だけ、表示器４の表示機能を有効とする。表示機能を有効にするための待機状態になったことを知らせるために、最初に短時間だけ、各種表示機能を持った個々の表示灯がおこなう表示とは異なるパターンの表示をおこなう。アラーム表示灯を含むその他すべての表示灯を、一斉に点滅させたり、通常よりも早い周期で点滅させるといった表示をおこなう。そして、その後に入力される受光部からの信号の回数に応じて、有効とする表示器を順次点灯させ、最後に点灯した表示器が一定時間だけ有効となるよう制御する。例えば、待機状態になってから、２秒以内に、次の信号が受光部から入力されると、アラーム表示灯が１秒間点灯し、さらに２秒以内に、次の信号が受光部から入力されると、アラーム表示灯とは異なる別の表示灯が１秒間点灯する。このように、検知信号を出力するのに同期して点灯するアラーム表示灯を含む、各種表示機能を持った個々の表示灯を順番に点灯させ、有効にさせようとする表示灯を最後に点灯させる。そこから２秒経過すると、その最後に点灯した表示灯だけが、有効となる。アラーム表示灯を、最後に点灯させ、２秒以上待つと、警戒エリアの点検作業を行う準備が整ったことになる。
【００１１】
そして、警戒エリア内を、人間が歩行しながら、検知器側のアラーム表示灯を確認する。設定した警戒エリア内を隅々まで歩き回り、検知器が適切に応答していることを確認して、警戒エリアの点検が終了する。予め設定された３分間以内に点検を終了させ、別の検知器の点検に着手する。点検が終了した検知器は、その後何も操作しなくても、３分経過後に、表示器制御手段７が、表示器４の表示機能を無効とする。その後は、この点検が終了した検知器の警戒エリア内を人間が歩き回っても、検知器の表示機能は無効となっており、どの範囲がこの検知器の警戒エリアであるのかはわからない状態となる。検知器の表示機能が無効となっている間でも、検知器が人間を検出すると、検知信号は出力されている。
【００１２】
点検作業にはいる際に、本発明の検知器の表示器制御手段７が、表示器４の表示機能を有効とし、その間、信号処理部２を通じて出力部３から検知信号を強制的に出力するよう制御すると、侵入者が、この機能を悪用してもすぐにわかるようになる。つまり、検知器の警戒エリアに入らないように、もし入ってしまって検知器が作動した場合には、すぐに逃げるといった対応がとれるようにと、家電機器用の赤外線リモコンを、侵入者が持ち込むことが想定される。そういった場合でも、この機能を有効にしたときに、即座に検知信号が出力され、侵入者がいることが報知されるのである。この検知信号は、信号線等を介して、制御機能を備えたコントローラーなどに送られているので、３分間の連続信号が発生していることを検出して、コントローラー側で、検知器の作動状態（点検作業モードになっていること）が判別可能となる。
【００１３】
表示器４の表示機能が有効となっている時間中に、再びリモコンから赤外線パルス信号が発射され、赤外線パルス信号が、受光部６の光リモコン受光モジュールの受光視野範囲θ内に入射され、受光部６が表示器制御手段７へ信号を出力したときに、表示器制御手段７は、前記表示器４の表示機能を無効とするよう制御する。このようにすると、３分間の時間経過を待たずに、検知器を元の状態に復帰させることができる。電池駆動の検知器などで実施すれば、点検作業終了後の無駄な電力消費を防ぐことができる。前記表示器４の表示機能を無効とする直前に、表示器制御手段７が、表示機能を無効にするための待機状態になったことを表示させるための制御信号を出力する。アラーム表示灯を含むその他すべての表示灯を、一斉に点滅させたり、通常よりも早い周期で点滅させるといった表示をおこなわせると、表示器４の表示機能が無効となることが、確実に作業者に伝えられる。
【００１４】
受光部６の光リモコン受光モジュールの受光視野範囲θの大きさを、設置する場所に合わせて変更したり、受光視野範囲全体を、任意の方向に向けられるようにしてあるので、検知器が設置されている場所において使用される家電機器を制御するために、赤外線リモコンから発射される本来の赤外線パルス信号を、誤って検知器が受信してしまうことを防止しながら、点検作業上の利便性を合わせて向上させることができる。
【００１５】
受光部６の光リモコン受光モジュールの受光視野範囲θが、検知器の真下方向に向けて固定されるようにする。このようにすると、検知器が設置されている場所において使用される家電機器を制御するために、赤外線リモコンから発射される本来の赤外線パルス信号を、誤って検知器が受信してしまうことがなくなる。また、検知器の真下まで進む間に、その検知器の警戒エリアを必然的に横切ることになり、赤外線リモコンを持った侵入者が、この機能を悪用することは、実質上不可能となる。
【００１６】
受光部６の光リモコン受光モジュールは、家電機器用の赤外線リモコンから発せられる赤外線パルス信号を確実に受信することができるように、検知器内の適当な場所に配置される。受動型赤外線センサの場合そのカバーは、ポリエチレン樹脂で形成されており、その近赤外線透過率は低いが、受光部６の光リモコン受光モジュールの受信感度を適切に調整することにより、受光部６をこのカバー内部に配置しても、赤外線リモコンから発せられる赤外線パルス信号は確実に受信することができる。カバー内部に受光部６を配置することにより、光リモコン受光モジュールの受光視野範囲θの向けられた方向はもちろん、光リモコン受光モジュールの存在自体が外部から確認できなくなり、セキュリティ性が向上する。
【００１７】
家電機器用の赤外線リモコン５の任意の操作ボタンが押され、このリモコンから赤外線パルス信号が発射され、その赤外線パルス信号を受光部６が受信して、すぐに、表示器制御手段７に信号を出力するのではなく、複数回の赤外線リモコン５のボタン操作による赤外線パルス信号を受信したのを受けて、表示器制御手段７に信号を出力するようにすると、家電機器制御を目的とした本来の赤外線パルス信号を、誤って検知器が受信してしまう可能性は、さらに低くなる。
【００１８】
【発明の効果】
本発明では、家電機器用の赤外線リモコンから発せられる赤外線パルス信号を受信したときに、一定時間だけ、表示器の表示機能を有効とし、赤外線パルス信号受光範囲を、検知器の真下方向に限定したり、任意の方向及び任意の視野範囲に調整可能としたりして、点検作業時以外に、不用意に表示機能が有効とならないようにしたので、セキュリティ性の確保と、点検作業の大幅な軽減が同時に実現される。そして、表示機能が有効となっている間、検知信号を強制的に出力するよう制御する制御手段を備えたので、赤外線リモコンを持った侵入者が、この機能を悪用しても、検出可能となる。
【図面の簡単な説明】
【図１】本発明の表示器制御機能付き検知器の構成を示したブロック図である。
【符号の説明】
１・・・検出素子
２・・・信号処理部
３・・・出力部
４・・・表示器
５・・・家電機器用の赤外線リモコン
６・・・受光部
７・・・表示器制御手段
【図１】
2004185554.tif 000003